(57)【要約】  本発明による偏光ディスプレイ装置（１０００ａ）は、光を偏光させる偏光手段からなる偏光区域（８０）と、偏光されたものであって、前記偏光区域（８０）を照らして偏光方向が変わる光を放出する偏光光源（１００）を有する。
2013539064.tif 000002
【特許請求の範囲】
【請求項１】
（ａ）光を偏光させる偏光手段からなる偏光区域と、
（ｂ）偏光されたものであって、前記偏光区域を照らす光を照射する偏光光源を含んで成り、ここで、
（ｃ）前記偏光光源から放出される偏光された光の偏光方向と前記偏光区域の偏光方向は、相互に変化を成すことを特徴とする偏光ディスプレイ装置。
【請求項２】
前記偏光光源が、偏光方向が変化する光を放出して、前記偏光区域は停止していることを特徴とする請求項１に記載の偏光ディスプレイ装置。
【請求項３】
前記偏光区域を成す偏光手段が、偏光フィルム、偏光板または偏光ガラスであることを特徴とする請求項１または請求項２に記載の偏光ディスプレイ装置。
【請求項４】
前記偏光区域が、多数個存在することを特徴とする請求項１または請求項２に記載の偏光ディスプレイ装置。
【請求項５】
前記偏光区域の偏光方向が、相互に隣接したものは互いに異なることを特徴とする請求項４に記載の偏光ディスプレイ装置。
【請求項６】
前記相互に隣接した偏光区域の偏光方向の角度が、隣接した順番にしたがって順番に差を有することを特徴とする請求項５に記載の偏光ディスプレイ装置。
【請求項７】
前記偏光光源が、光源と、前記光源の光を偏光させる偏光手段と、前記偏光手段を回転させる回転手段を含んで成り、前記光源から出た光が前記偏光手段を通過して偏光を成して偏光方向が回転して偏光方向の変化を成すことを特徴とする請求項２に記載の偏光ディスプレイ装置。
【請求項８】
前記回転手段が、前記偏光手段を回転させたりまたは前記光源と偏光手段を同時に回転させることを特徴とする請求項７に記載の偏光ディスプレイ装置。
【請求項９】
前記偏光光源が、光源と、前記光源の光を偏光させる偏光手段と、前記偏光手段を通過して偏光した光が入射する液晶素子を含んで成り、前記液晶素子に加えられた電圧の強さによって前記液晶素子を通過する光の偏光方向が変わることを特徴とする請求項２に記載の偏光ディスプレイ装置。
【請求項１０】
（ａ）光を偏光させる偏光手段からなる偏光区域と、
（ｂ）偏光されたものであって、前記偏光区域を照らす光を照射する偏光光源と、
（ｃ）前記偏光光源と前記偏光区域の間に置かれる複屈折媒質を含んで成り、ここで、
前記偏光光源から照射される光の偏光方向と前記複屈折媒質と前記偏光区域の偏光方向が、相互に相対的に回転を成すことを特徴とする偏光ディスプレイ装置。
【請求項１１】
前記偏光区域が、多数個存在することを特徴とする請求項１０に記載の偏光ディスプレイ装置。
【請求項１２】
前記偏光区域の偏光方向が、相互に隣接したものは互いに異なることを特徴とする請求項１１に記載の偏光ディスプレイ装置。
【請求項１３】
前記相互に隣接した偏光区域の偏光方向の角度が、隣接した順番にしたがって順番に差を有することを特徴とする請求項１２に記載の偏光ディスプレイ装置。
【請求項１４】
前記回転が、一部の角度の回転を含むことを特徴とする請求項１０〜１３に記載の偏光ディスプレイ装置。
【請求項１５】
前記偏光区域を成す偏光手段が、偏光フィルム、偏光板または偏光ガラスであり、前記複屈折媒質はフィルムまたは板形態であることを特徴とする請求項１４に記載の偏光ディスプレイ装置。
【請求項１６】
前記複屈折媒質が、フィルムまたは板形態で前記偏光区域に付着していることを特徴とする請求項１５に記載の偏光ディスプレイ装置。
【請求項１７】
前記偏光光源から照射される光の偏光方向が回転を成して、前記複屈折媒質と前記偏光区域は停止していることを特徴とする請求項１４に記載の偏光ディスプレイ装置。
【請求項１８】
前記複屈折媒質が回転を成して、前記偏光光源から照射される光の偏光方向と前記偏光区域は停止していることを特徴とする請求項１４に記載の偏光ディスプレイ装置。
【請求項１９】
前記複屈折媒質が前記偏光光源に付着して前記偏光光源と一体で回転し、前記偏光区域は停止していることを特徴とする請求項１４に記載の偏光ディスプレイ装置。
【請求項２０】
前記偏光光源が、光源と、前記光源の光を偏光させる偏光手段と、前記偏光手段を回転させる回転手段を含んで成り、前記光源から出た光が前記偏光手段を通過して偏光を成して偏光方向が回転して偏光方向の変化を成すことを特徴とする請求項１４に記載の偏光ディスプレイ装置。
【請求項２１】
前記回転手段が、前記偏光手段を回転させたりまたは前記光源と偏光手段を同時に回転させたりすることを特徴とする請求項２０に記載の偏光ディスプレイ装置。
【請求項２２】
前記偏光光源が、光源と、前記光源の光を偏光させる偏光手段と、前記偏光手段を通過して偏光した光が入射する液晶素子を含んで成り、前記液晶素子に加えられた電圧の強さによって前記液晶素子を通過する光の偏光方向が変わることを特徴とする請求項１４に記載の偏光ディスプレイ装置。
【請求項２３】
前記複屈折媒質が、前記偏光光源から前記液晶素子の前方に設置されていることを特徴とする請求項２２に記載の偏光ディスプレイ装置。
【請求項２４】
（ａ）光が通過する時に複屈折が成り立つ複屈折媒質からなる複屈折区域と、
（ｂ）偏光されたものであって、その偏光方向が変化して前記複屈折区域を照らす光を照射する偏光光源と、
（ｃ）前記複屈折区域の後に配置されるもので、光を偏光させる偏光手段からなる偏光区域を含んでなることを特徴とする偏光ディスプレイ装置。
【請求項２５】
前記複屈折区域が、多数個存在することを特徴とする請求項２４に記載の偏光ディスプレイ装置。
【請求項２６】
前記複屈折区域の複屈折特性が、相互に隣接したものは互いに異なることを特徴とする請求項２５に記載の偏光ディスプレイ装置。
【請求項２７】
前記複屈折区域を成す複屈折媒質が、フィルムまたは板形態のものが提供され、前記偏光区域は偏光フィルム、偏光板または偏光ガラスからなることを特徴とする請求項２４〜２６のいずれか一項に記載の偏光ディスプレイ装置。
【請求項２８】
前記フィルムまたは板形態の複屈折媒質が、前記偏光区域の上面に付着していることを特徴とする請求項２７に記載の偏光ディスプレイ装置。
【請求項２９】
前記多数個の複屈折区域が、特定の模様を形成することを特徴とする請求項２７に記載の偏光ディスプレイ装置。
【請求項３０】
前記偏光光源が、光源と、前記光源の光を偏光させる偏光手段と、前記偏光手段を回転させる回転手段を含んで成り、前記光源から出た光が前記偏光手段を通過して偏光を成し、偏光方向が回転して偏光方向の変化を成すことを特徴とする請求項２４〜２６のいずれか一項に記載の偏光ディスプレイ装置。
【請求項３１】
前記回転手段が、前記偏光手段を回転させたりまたは前記光源と偏光手段を同時に回転させたりすることを特徴とする請求項３０に記載の偏光ディスプレイ装置。
【請求項３２】
前記偏光光源が、光源と、前記光源の光を偏光させる偏光手段と、前記偏光手段を通過して偏光した光が入射する液晶素子を含んで成り、前記液晶素子に加えられた電圧の強さによって前記液晶素子を通過する光の偏光方向が変わることを特徴とする請求項２４〜２６のいずれか一項に記載の偏光ディスプレイ装置。
【請求項３３】
（ａ）光を偏光させる偏光手段からなる偏光区域と、
（ｂ）偏光されたものであって、前記偏光区域を照らす特定色相の光を放出する偏光光源を含んで成り、ここで、
（ｃ）前記偏光光源から放出される偏光された光の偏光方向と前記偏光区域の偏光方向が相互に変化を成すことを特徴とする偏光ディスプレイ装置。
【請求項３４】
前記偏光光源が、偏光方向が変化する光を放出して、前記偏光区域は停止していることを特徴とする請求項３３に記載の偏光ディスプレイ装置。
【請求項３５】
前記偏光区域が、多数個存在することを特徴とする請求項３３または３４に記載の偏光ディスプレイ装置。
【請求項３６】
前記偏光区域の偏光方向が、相互に隣接したものは互いに異なることを特徴とする請求項３５に記載の偏光ディスプレイ装置。
【請求項３７】
前記相互に隣接した偏光区域の偏光方向の角度が、隣接した順番にしたがって順番に差を有することを特徴とする請求項３６に記載の偏光ディスプレイ装置。
【請求項３８】
前記偏光区域が、偏光フィルム、偏光板または偏光ガラスに形成されることを特徴とする請求項３７に記載の偏光ディスプレイ装置。
【請求項３９】
前記偏光光源が、多数個提供されることを特徴とする請求項３３〜３８に記載の偏光ディスプレイ装置。
【請求項４０】
前記偏光光源が、Ｒ（赤色光）、Ｇ（緑色光）、Ｂ（青色光）の三つの種類が提供されることを特徴とする請求項３９に記載の偏光ディスプレイ装置。
【請求項４１】
前記偏光光源が、特定色相の光を放出する光源と、前記光源の光を偏光させる偏光手段と、前記偏光手段を回転させる回転手段を含んで成り、前記光源から出た光が前記偏光手段を通過して偏光を成し、偏光方向が回転して偏光方向の変化を成すことを特徴とする請求項３３〜３８に記載の偏光ディスプレイ装置。
【請求項４２】
前記回転手段が、前記偏光手段を回転させたりまたは前記光源と偏光手段を同時に回転させたりすることを特徴とする請求項４１に記載の偏光ディスプレイ装置。
【請求項４３】
前記偏光光源が、特定色相の光を放出する光源と、前記光源の光を偏光させる偏光手段と、前記偏光手段を通過して偏光した光が入射する液晶素子を含んで成り、前記液晶素子に加えられた電圧の強さによって前記液晶素子を通過する光の偏光方向が変わることを特徴とする請求項３３〜３８に記載の偏光ディスプレイ装置。
【発明の詳細な説明】
【技術分野】
【０００１】
本発明は、偏光ディスプレイ装置に関するもので、より詳細には偏光現象を用いて偏光区域または複屈折区域で多彩な明暗の変化または色相の変化が起きるディスプレイ効果を得ることができる偏光ディスプレイ装置に関するものである。
【背景技術】
【０００２】
偏光現象は、光が進行方向に垂直な任意の平面で電場の方向が一定になることを言う。このような偏光現象の代表的な例は、二つの偏光子を互いに偏光方向が垂直になる（直交する）ように置いて光を通過させる場合、光の透過がなくなる現象である。
【０００３】
このような偏光現象を用いて、偏光フィルムなどを用いて光に対して一定方向の偏光性を有するようにしたり、偏光された光を複屈折フィルムのような複屈折媒質を通過させたりして、波長によってそれぞれ異なる偏光方向を有するようにできる。
【０００４】
本発明は、このような偏光現象を用いて光が照射される区域で多彩な明暗または色相の変化が起きて独特のディスプレイを成す偏光ディスプレイ装置を提供する。
【発明の概要】
【発明が解決しようとする課題】
【０００５】
本発明の目的は、偏光現象を用いて光が照射される区域で多彩な明暗または色相の変化が起きる独特のディスプレイ効果を得ることができる偏光ディスプレイ装置を提供することである。
【０００６】
異なる側面の本発明の目的は、光源から照射される光が人に視覚的な妨害を起こさずに、前記の光が照射される区域が多彩な明暗または色相の変化を起こすディスプレイを成す偏光ディスプレイ装置を提供することである。
【０００７】
また異なる側面の本発明の目的は、特定の単位色相の偏光した光を放出する偏光光源を提供し、それから放出される色相の光の混合によって、偏光区域で多彩な色相の表現と色相の変化を演出することができる偏光ディスプレイ装置を提供することである。
【０００８】
また異なる側面の本発明の目的は、建物の内部やサインボードまたは建物の外壁、ガラス窓などにおいて、光が照射される区域が明暗や色相が多彩に変化したように見える、ディスプレイ効果が演出されて装飾や広告、広報または建物の美観増進などのために用いることができる、偏光ディスプレイ装置を提供することである。
【課題を解決するための手段】
【０００９】
本発明は、光を偏光させる偏光手段からなる偏光区域と、偏光されたものであって前記偏光区域を照らす光を照射する偏光光源を含んで成り、ここで、前記偏光光源から放出される偏光された光の偏光方向と前記偏光区域の偏光方向は、相互の間で変化することを特徴とする偏光ディスプレイ装置を提供する。
【００１０】
本発明の場合、前記偏光光源は偏光方向が変化する光を放出して、前記偏光区域は停止していることができる。
【００１１】
本発明の場合、前記偏光区域を成す偏光手段は、偏光フィルム、偏光板または偏光ガラスであり得る。
【００１２】
本発明の場合、前記偏光区域は多数個存在することができる。
【００１３】
本発明の場合、前記偏光区域の偏光方向は、相互に隣接したものは互いに異なることが好ましい。
【００１４】
本発明の場合、前記相互に隣接した偏光区域の偏光方向の角度は、隣接した順番にしたがって順番に差を有するものであり得る。
【００１５】
本発明の場合、前記偏光光源は、光源と、前記光源の光を偏光させる偏光手段と、前記偏光手段を回転させる回転手段を含んで成り、前記光源から出た光が前記偏光手段を通過して偏光を成し、偏光方向が回転して偏光方向の変化を成すものであり得る。
【００１６】
本発明の場合、前記回転手段は、前記偏光手段を回転させたりまたは前記光源と偏光手段を同時に回転させたりするものであり得る。
【００１７】
本発明の場合、前記偏光光源は、光源と、前記光源の光を偏光させる偏光手段と、前記偏光手段を通過して偏光した光が入射する液晶素子を含んで成り、前記液晶素子に加えられた電圧の強さによって前記液晶素子を通過する光の偏光方向が変わるものであり得る。
【００１８】
本発明の他の側面で、光を偏光させる偏光手段からなる偏光区域と、偏光されたものであって、前記偏光区域を照らす光を照射する偏光光源と、前記偏光光源と前記偏光区域の間に置かれる複屈折媒質を含んで成り、ここで、前記偏光光源から照射される光の偏光方向と前記複屈折媒質と前記偏光区域は、相互に相対的に回転を成すことを特徴とする偏光ディスプレイ装置を提供する。
【００１９】
本発明の場合、前記偏光区域は、多数個存在することができる。
【００２０】
本発明の場合、前記偏光区域の偏光方向は、相互に隣接したものは互いに異なることがあり得る。
【００２１】
本発明の場合、前記相互に隣接した偏光区域の偏光方向の角度は、隣接した順番にしたがって順番に差を有するものであり得る。
【００２２】
本発明の場合、前記回転は一部角度の回転を含む。
【００２３】
本発明の場合、前記偏光区域を成す偏光手段は、偏光フィルム、偏光板または偏光ガラスで、前記複屈折媒質はフィルムまたは板形態であり得る。
【００２４】
本発明の場合、前記複屈折媒質は、フィルムまたは板形態で前記偏光区域に付着していることがあり得る。
【００２５】
本発明の場合、前記偏光光源から照射される光の偏光方向が回転を成して、前記複屈折媒質と前記偏光区域は停止していることができる。
【００２６】
本発明の場合、前記複屈折媒質が回転を成して、前記偏光光源から照射される光の偏光方向と前記偏光区域は停止していることができる。
【００２７】
本発明の場合、前記複屈折媒質は前記偏光光源に付着して前記偏光光源と一体に回転して、前記偏光区域は停止していることができる。
【００２８】
本発明の場合、前記偏光光源は光源と、前記光源の光を偏光させる偏光手段と、前記偏光手段を回転させる回転手段を含んで成り、前記光源から出た光が前記偏光手段を通過して偏光を成して、偏光方向が回転されて偏光方向の変化を成すものであり得る。
【００２９】
本発明の場合、前記回転手段は前記偏光手段を回転させたりまたは前記光源と偏光手段を同時に回転させるものであり得る。
【００３０】
本発明の場合、前記偏光光源は光源と、前記光源の光を偏光させる偏光手段と、前記偏光手段を通過して偏光した光が入射する液晶素子を含んで成り、前記液晶素子に加えられた電圧の強さによって前記液晶素子を通過する光の偏光方向が変化するものであり得る。
【００３１】
本発明の場合、前記複屈折媒質は前記偏光光源から前記液晶素子の前方に設置され得る。
【００３２】
本発明のまた他の側面で、光が通過する時に複屈折が成り立つ複屈折媒質からなる複屈折区域と、偏光されたものであってその偏光方向が変化して前記複屈折区域を照らす光を照射する偏光光源と、前記複屈折区域の後に配置されるものであって光が偏光される偏光手段からなる偏光区域を含んでなることを特徴とする偏光ディスプレイ装置を提供する。
【００３３】
本発明の場合、前記複屈折区域は多数個存在することができる。
【００３４】
本発明の場合、前記複屈折区域の複屈折特性は、相互に隣接したものは互いに異なるものであり得る。
【００３５】
本発明の場合、前記複屈折区域を成す複屈折媒質は、フィルムまたは板形態の物が提供され、前記偏光区域は偏光フィルム、偏光板または偏光ガラスからなり得る。
【００３６】
本発明の場合、前記フィルムまたは板形態の複屈折媒質が、前記偏光区域の上面に付着することができる。
【００３７】
本発明の場合、前記多数個の複屈折区域は特定の模様を形成することが好ましい。
【００３８】
本発明の場合、前記偏光光源は光源と、前記光源の光を偏光させる偏光手段と、前記偏光手段を回転させる回転手段を含んで成り、前記光源から出た光が前記偏光手段を通過して偏光を成して、偏光方向が回転して偏光方向の変化を成すものであり得る。
【００３９】
本発明の場合、前記回転手段は前記偏光手段を回転させたりまたは前記光源と偏光手段を同時に回転させたりするものであり得る。
【００４０】
本発明の場合、前記偏光光源は光源と、前記光源の光を偏光させる偏光手段と、前記偏光手段を通過して偏光した光が入射する液晶素子を含んで成り、前記液晶素子に加えられた電圧の強さによって前記液晶素子を通過する光の偏光方向が変わるものであり得る。
【００４１】
本発明は、また他の側面で、光を偏光させる偏光手段からなる偏光区域と、偏光されたものであって前記偏光区域を照らす特定色相の光を照射する偏光光源を含んで成り、ここで、前記偏光光源から放出される偏光された光の偏光方向と前記偏光区域は、相互に変化を成すことを特徴とする偏光ディスプレイ装置を提供する。
【００４２】
本発明の場合、前記偏光光源は偏光方向が変化する光を放出して、前記偏光区域は停止していることができる。
【００４３】
本発明の場合、前記偏光区域は多数個が存在することができる。
【００４４】
本発明の場合、前記偏光区域の偏光方向は相互に隣接したものは互いに異なることができる。
【００４５】
本発明の場合、前記相互に隣接した偏光区域の偏光方向の角度は、隣接した順番にしたがって順番に差を有することができる。
【００４６】
本発明の場合、前記偏光区域は偏光フィルム、偏光板または偏光ガラスに形成することができる。
【００４７】
本発明の場合、前記偏光光源はそれぞれ互いに異なる色相の光を照射するもので、多数個を提供することができる。
【００４８】
本発明の場合、前記偏光光源は、Ｒ（赤色光）、Ｇ（緑色光）、Ｂ（青色光）の三つを提供することができる。
【００４９】
本発明の場合、前記偏光光源は特定色相の光を放出する光源と、前記光源の光を偏光させる偏光手段と、前記偏光手段を回転させる回転手段を含んで成り、前記光源から出た光が前記偏光手段を通過して偏光を成し、偏光方向が回転して偏光方向の変化を成すものであり得る。
【００５０】
本発明の場合、前記回転手段は前記偏光手段を回転させたり、または前記光源と偏光手段を同時に回転させたりするものであり得る。
【００５１】
本発明の場合、前記偏光光源は特定色相の光を放出する光源と、前記光源の光を偏光させる偏光手段と、前記偏光手段を通過して偏光した光が入射する液晶素子を含んでなり、前記液晶素子に加えられた電圧の強さによって前記液晶素子を通過する光の偏光方向が変わるものであり得る。
【発明の効果】
【００５２】
本発明の場合、偏光現象を用いて光が照射される区域で多彩な明暗または色相の変化が起きる独特のディスプレイ効果を得ることができる。
【００５３】
また、本発明の場合、光源から照射される光が人に視覚的妨害を起こさずに前記光の照射される区域が多彩な明暗または色相の変化を起こすディスプレイを得ることができる。
【００５４】
また、本発明の場合、特定単位色相の偏光された光を放出する偏光光源が提供され、それらから放出される色相光の混合によって偏光区域で多彩な色相の表現と色相の変化を演出するディスプレイを得ることができる。
【００５５】
さらに本発明の場合、建物の内部やサインボードまたは建物の外壁、ガラス窓などに設置された偏光区域または複屈折区域が、ブランド、ロゴ、絵キャラクターなどの模様を形成して、それら模様の明暗や色相が多彩に変化したように見えるディスプレイ効果が演出される。
【図面の簡単な説明】
【００５６】
【図１】本発明による偏光ディスプレイ装置の一番目側面による第１実施例を示す図。
【図２】本発明の一番目側面による第２実施例の偏光ディスプレイ装置を示す図。
【図３】本発明の一番目側面による第３実施例の偏光ディスプレイ装置を示す図。
【図４】本発明の一番目側面による第４実施例の偏光ディスプレイ装置を示す図。
【図５】本発明の一番目側面によるディスプレイ装置で偏光区域がキャラクターの絵を形成した場合を示す図。
【図６】本発明の二番目側面による偏光ディスプレイ装置を例示的に示す図。
【図７】本発明の二番目側面による偏光ディスプレイ装置の第１実施例を示す図。
【図８】本発明の二番目側面による偏光ディスプレイ装置の第２実施例を示す図。
【図９】本発明の二番目側面による偏光ディスプレイ装置の第３実施例を示す図。
【図１０】本発明の二番目側面による偏光ディスプレイ装置の第４実施例を示す図。
【図１１】本発明の三番目側面による偏光ディスプレイ装置を例示的に示す図。
【図１２】本発明の三番目側面による偏光ディスプレイ装置の第１実施例を示す図。
【図１３】本発明の三番目側面による偏光ディスプレイ装置の第２実施例を示す図。
【図１４】本発明の三番目側面による偏光ディスプレイ装置の第３実施例を示す図。
【図１５】複屈折フィルムで配置方向が異なるように複屈折区域を切り取り出した場合を示す図。
【図１６】本発明の四番目側面による偏光ディスプレイ装置の第１実施例を示す図。
【図１７】本発明の四番目側面による偏光ディスプレイ装置の第１実施例を示す図。
【図１８】本発明の四番目側面による偏光ディスプレイ装置の第２実施例を示す図。
【図１９】本発明の四番目側面による偏光ディスプレイ装置の第３実施例を示す図。
【図２０】本発明の四番目側面による偏光ディスプレイ装置の第４実施例を示す図。
【図２１】本発明の四番目側面による偏光ディスプレイ装置の第５実施例を示す図。
【図２２】偏光方向が変化する偏光された光を放出する偏光光源の構造を示す図。
【図２３】偏光方向が変化する偏光された光を放出する偏光光源の構造を示す図。
【図２４】偏光した光を放出する偏光光源の前方に複屈折媒質が回転可能に設置された構造を示す図。
【図２５】液晶素子の構造を示す図。
【図２６】液晶素子に図２５の液晶素子を用いて偏光方向が変化する偏光された光を放出する偏光光源の構造を示す図。
【図２７】図２６の偏光光源に対して、液晶素子の前方に複屈折媒質を設置して偏光光源の偏光方向は回転し、複屈折媒質は停止した場合を示す図。
【図２８】図２５の液晶素子を用いたＲ、Ｇ、Ｂの偏光光源の構造を示す図。
【発明を実施するための形態】
【００５７】
本発明の好ましい実施例を添付した図を参照して、詳しく説明する。
【００５８】
図１〜図５は、本発明の一番目側面による偏光ディスプレイ装置を示す。
【００５９】
まず、図１は本発明による偏光ディスプレイ装置の一番目側面による第１実施例１０００ａを示す。
【００６０】
本発明の一番目側面による場合、光を偏光させる偏光手段からなる偏光区域８０が提供される。
【００６１】
本実施例において、ベース部材４０が提供され前記ベース部材４０の上面４８に偏光区域８０が形成されている。
【００６２】
前記偏光区域８０は、偏光フィルム、偏光板や偏光ガラスのような偏光手段からなり光を偏光させることができる。
【００６３】
図を参照すると、Ａ字形状の偏光フィルムや偏光ガラスが前記ベース部材４０の上面４８に付着して、Ａ字形状の偏光区域８０を形成している。
【００６４】
このような偏光区域は、後述のように多数個提供することができ、多数個の偏光区域が提供される場合、それら偏光区域の偏光方向は相互に隣接したものは互に異なることが好ましい。
【００６５】
本発明の一番目側面による場合、偏光光源が提供されるが、前記偏光光源は偏光された光を放出して前記偏光区域を照らすものである。
【００６６】
また、本発明の一番目側面による場合、前記偏光光源から放出される偏光された光の偏光方向と、前記偏光区域の偏光方向は相互に変化を成す。このような場合の例として、本発明の一番目側面による偏光光源の実施例で偏光方向が変化する光を放出する偏光光源１００が提供され、前記偏光区域は停止している。
【００６７】
このように、偏光されたものであって偏光方向が変化する光を放出する偏光光源１００は、図２２と図２３に見られるように光源８と、前記光源８の光を偏光させる偏光手段８４と、前記偏光手段８４を回転させる回転手段４４を含んで成り得る。それによって、前記光源８から出た光が前記偏光手段８４を通過して偏光を成すようになり、偏光方向が回転して偏光方向の変化を成すようになる。
【００６８】
図２２の偏光光源１００は、筐体部８１の内部に光源８が設置されて前記光源８の前方に偏光フィルターのような偏光手段８４が設置されていて、モーター４４が前記筐体部８１を回転させて前記光源８と偏光手段８４を同時に回転させている。
【００６９】
図２３の偏光光源１００は、筐体部８１の内部に光源８が設置されてその前方に偏光フィルターのような偏光手段８４が設置されているが、偏光手段８４はその周囲にそってギア９が設置されていて、モーター４４が前記ギア９を回転させていて、それによって前記偏光手段８４が回転する。
【００７０】
図２２及び図２３の偏光光源１００は、ともにモーターの回転を操作する操作部４８とモーターの回転を制御する制御部４６を有し、モーターの回転を制御することができる。それによって光源８０から放出される偏光された光の偏光方向の回転範囲（回転角）と回転速度などを調節することができるようになる。
【００７１】
前記偏光光源１００の偏光方向の変化は、モーターの動力を用いたが、必ずこれに限定されるのではなく、手動を用いることもできる。
【００７２】
一方、偏光されたものであって偏光方向が変化する光を放出する偏光光源１００は、図２５に見られるような液晶素子４００を用いて提供することができる。
【００７３】
前記偏光方向の変化を起こす液晶素子４００は、対向するガラス基板４１０と４１０の間にスペーサー（図示せず）を介して空間を確保し、前記空間に液晶４９０を充填した後、前記空間はシーラント４３０によって密封する。前記ガラス基板４１０と４１０の下部には、透明電極４６０と液晶配向層４７０が順番に積層される。
【００７４】
前記透明電極４６０、４６０に電圧が印加されると、前記液晶４９０はその配列を変化してそれによって前記液晶素子４００の一方（例えば、下側のガラス基板４１０方向から）に偏光された光を入射させると、光は液晶４９０を（下から上側方向に）通過しながら液晶に印加される電圧の強さによって偏光方向が変わるようになった後、他の方向（上側方向）に放出されるようになる。実質的にこのような構造は、ＬＣＤパネルで偏光板が除去された構造である。このような液晶素子４００を使用した偏光光源は、偏光方向を瞬間的に変化させることができる長所がある。
【００７５】
図２６は、図２５の液晶素子４００を用いた偏光光源１００の一例を示す。
【００７６】
ケース部材９００に光源８が設置されて、その前方に偏光フィルムまたは偏光フィルターのような偏光手段８４が設置されて、その前方に液晶素子４００が設置される。
【００７７】
前記光源８から照射される光が、前記偏光手段８４を通過しながら偏光した後、前記液晶素子４００を通過しながら偏光方向が回転しながら出力される。
【００７８】
この場合、前記液晶素子４００は、液晶に印加される電圧の強さによって偏光された光の偏光方向を、９０度または１８０度またはそれ以上の角度まで変化するようにすることが好ましい。
【００７９】
このような偏光光源１００は、前記偏光区域８０を照らすように設置される。
【００８０】
本発明の一番目側面による第１実施例の偏光ディスプレイ装置１０００ａの作動を下記に説明する。
【００８１】
前記偏光光源１００は、偏光方向が変化する光を前記偏光区域８０に照射する。
【００８２】
この場合、前記偏光光源１００から照射される偏光方向が変わる光は、前記偏光区域８０を通過するようになるが、前記偏光方向が前記偏光区域８０の偏光方向と垂直を成す（直交する）地点に至ると、その光は前記偏光区域８０を通過することができなくなる。
【００８３】
前記偏光方向の変化にしたがって、光が全部通過する場合は前記偏光区域８０は明るく見えるが、偏光方向の変化にしたがって光の通過が一部だけ成り立つかまたは光の通過が全く成り立つことができない場合は、暗くなるか黒く見えるようになる。
【００８４】
万一、ベース部材４０が色を有する場合、光が全部透過する場合にはベース部材４０の色が見え、光が一部透過する場合には暗い色に見え、全く透過することができない場合には黒い色に見えるようになる。
【００８５】
一方、前述ではベース部材４０で光が反射して光源の方から見た場合であるが、万一、ベース部材４０が透明または半透明材質の場合は、一部の光はベース部材４０で反射して一部の光はベース部材４０を通過するようになり、ベース部材４０を通過した光の場合にも反射する場合と同一に明暗の変化を示し、ベース部材４０の裏面から見る時にも同一部分の同一な明暗の変化を見られるようになる。
【００８６】
前記偏光光源１００から照射される光の偏光方向の変化（例えば、回転範囲または回転速度など）を調整することで、前記偏光区域８０に対する明暗の変化を調整することができるようになる。
【００８７】
図２は、本発明の一番目側面による第２実施例の偏光ディスプレイ装置１０００ｂを示す。
【００８８】
本発明の一番目側面による第２実施例の偏光ディスプレイ装置１０００ｂの場合、二つの偏光区域８０と１８０ａが提供され、それら偏光区域８０と１８０ａの偏光方向はそれぞれ垂直を形成している（直交している）。
【００８９】
すなわち、Ａ字形状の第１偏光区域８０に対して、その周辺部が第２偏光区域１８０ａを形成していて、第１偏光区域８０の偏光方向８８と第２偏光区域１８０の偏光方向１８８ａは、相互に垂直を形成している。
【００９０】
例えば、Ａ字形状の偏光フィルムを付けて第１偏光区域８０を形成して、その周辺に前記第１偏光区域８０の偏光方向８８と垂直である偏光方向１８８ａを有するように偏光フィルムを付けて第２偏光区域１８０ａを形成することができる。
【００９１】
前記偏光光源１００から照射される光の偏光方向が変化するにつれて、前記偏光方向が前記第１偏光区域８０の偏光方向と垂直になると、前記第１偏光区域８０は通過することができなくて、以後前記第２偏光区域１８０ａと垂直を成すようになると、第２偏光区域１８０ａを通過することができなくなる。
【００９２】
この場合、前記第１偏光区域８０と前記第２偏光区域１８０ａの偏光方向は、相互に垂直とし、偏光光源１００の光の偏光方向は前記第１偏光区域８０の偏光方向と垂直である時、前記第２偏光区域１８０ａの偏光方向とは水平を形成し、逆に前記第２偏光区域１８０ａの偏光方向と垂直である時、前記第１偏光区域８０の偏光方向とは水平を成すようになる。
【００９３】
これによって、第２実施例の偏光ディスプレイ装置１０００ｂの二つの偏光区域８０、１８０ａは、偏光光源１００から光の照射を受けることによって、一方が明るい時、他方は光の通過が遮断されて暗くなるか黒く見えるようになる。
【００９４】
前記偏光光源１００から照射される光の偏光方向の変化（例えば、回転範囲または回転速度など）を調整することで、前記偏光区域８０と１８０ａ間の明暗の変化を調整することができるようになる。
【００９５】
図３は、本発明の一番目側面による第３実施例の偏光ディスプレイ装置１０００ｃを示す。
【００９６】
本発明の一番目側面による第３実施例の偏光ディスプレイ装置１０００ｃの場合、二つの偏光区域８０と１８０ｂが提供され、それら偏光区域８０と１８０ｂの偏光方向は相互に４５度の差を有している。
【００９７】
すなわち、Ａ字形状の第１偏光区域８０に対してその周辺部が第２偏光区域１８０ｂを形成していて、第１偏光区域８０の偏光方向８８と第２偏光区域１８０の偏光方向１８８ｂは、相互に４５度の差を有している。
【００９８】
例えば、Ａ字形状の偏光フィルムを付けて第１偏光区域８０を形成して、その周辺に前記第１偏光区域８０の偏光方向８８と４５度の差を有する偏光方向１８８ｂが形成されるように偏光フィルムを付けて第２偏光区域１８０ｂを形成することができる。
【００９９】
このような場合、前記偏光光源１００から照射される光の偏光方向が変化を成しながら、前記第１偏光区域８０の偏光方向と垂直になると前記第１偏光区域８０は通過することができなくて、以後前記第２偏光区域１８０ｂと垂直を成すようになると第２偏光区域１８０ｂを通過することができなくなる。
【０１００】
これによって、前記二つの偏光区域８０と１８０ｂで両方がともに明るかったりどちらか一方が先に暗くなったり黒くなって、またともに暗かったりどちらか一方が先に明るくなるなど、前記偏光光源１００から照射される光の偏光方向の変化（例えば、回転範囲または回転速度など）を調整することで、前記偏光区域８０と１８０ｂでの明暗の変化を調整することができるようになる。
【０１０１】
図４は、本発明の一番目側面による第４実施例の偏光ディスプレイ装置１０００ｄを示す。
【０１０２】
本発明の一番目側面による第４実施例の偏光ディスプレイ装置１０００ｄの場合、三つの偏光区域８０、１８０ｃ、２８０が提供され、それら偏光区域８０、１８０ｃ、２８０の偏光方向は、順番に４５度の差を有している。
【０１０３】
例えば、第１偏光区域８０の偏光方向８８が９０度なら、第２偏光区域１８０ｃの偏光方向１８８ｃは４５度で、第３偏光区域２８０の偏光方向２８８は０度である。
【０１０４】
具体的に、Ａ字形状の第１偏光区域８０とＢ字形状の第３偏光区域２８０が提供され、それらの周辺部が第２偏光区域１８０ｃを形成していて、これら第１偏光区域８０、第２偏光区域１８０ｃ及び第３偏光区域２８０の偏光方向８８、１８８ｃ、２８８は、順番に４５度の差を有している。
【０１０５】
例えば、Ａ字形状の偏光フィルムを付けて第１偏光区域８０を形成して、Ｂ字形状の偏光フィルムをその偏光方向２８８が、前記第１偏光区域８０の偏光方向８８と９０度の差を有するように付けて第３偏光区域１８０ｃを形成して、これら第１偏光区域８０と第３偏光区域２８０の周辺に前記第１偏光区域８０の偏光方向８８及び前記第３偏光区域２８０の偏光方向２８８と４５度の差の偏光方向１８８ｃを有するように偏光フィルムを付けて第２偏光区域１８０ｃを形成することができる。
【０１０６】
このような場合、前記偏光光源１００から照射される光の偏光方向が変化するにつれて、前記第１偏光区域８０の偏光方向と垂直になると前記第１偏光区域８０は通過することができなくて、以後前記第２偏光区域１８０ｃと垂直を成すようになると第２偏光区域１８０ｂを通過することができなくなり、次に前記第３偏光区域２８０と垂直を成すようになると第３偏光区域２８０を通過することができなくなる。
【０１０７】
これによって前記三つの偏光区域８０、１８０ｃ、２８０が順番に明るくなったり暗くなったりして、前記偏光光源１００から照射される光の偏光方向の変化（例えば、回転範囲または回転速度など）を調整することで、前記偏光区域８０、１８０ｃ、２８０での明暗の変化を順番に調整することができるようになる。
【０１０８】
図５は、本発明の一番目側面によるディスプレイ装置で偏光区域がキャラクターの絵を形成した場合を示す。
【０１０９】
三つの偏光区域８０’、１８０’、２８０’がベース部材４０の上面に形成されて、偏光区域８０’はキャラクター絵を形成して、偏光区域２８０’はキャラクター絵の後髪を形成して、偏光区域１８０’は周辺部を形成する。
【０１１０】
これら三つの偏光区域８０’、１８０’、２８０’の偏光方向の角度が順番に差を有する。例えば、偏光区域８０’の偏光方向が９０度であって、偏光区域１８０’の偏光方向が６０度であって、偏光区域２８０’の偏光方向が３０度である。
【０１１１】
偏光光源１００から照射される光の偏光方向が変化しながら、三つの偏光区域８０’、１８０’、２８０’で順番に明暗の変化が生じる。
【０１１２】
前記偏光光源１００から照射される光の偏光方向の変化（例えば、回転範囲または回転速度など）を調整することで、前記偏光区域８０、１８０ｃ、２８０での明暗の変化を順番に調整することもできる。
【０１１３】
本発明の場合、偏光光源１００から照射される光の偏光方向の変化速度及び変化範囲（変化角度）は、ディスプレイ効果を考慮して多様に調整することができる。
【０１１４】
また、本発明の場合、偏光光源１００は、多数個設置することができる。偏光光源１００が多数個設置される場合、これら偏光光源１００から照射される光の偏光方向が初期に一致するようにして、以後変化が継続することによって多数個の偏光光源の偏光方向の不一致が発生しないように同期化するための制御装置が必要であり得る。このような同期化は必ず必要なものではなく、場合によっては独特の効果を演出するために同期化をさせないこともある。一方、図２５の液晶素子５００を用いた偏光光源の場合、同期化が必要ではない。
【０１１５】
本発明の場合、偏光区域は色相を有することができ、例えば、偏光区域を成す偏光フィルムが色相を有することができる。
【０１１６】
一方、偏光区域は、パターン（ベース部材）が色相を有するようにできる。多数個の偏光区域が提供される場合、偏光区域の間に色相を異にするか偏光区域下部のパターン（ベース部材）の色相を異にすることができる。
【０１１７】
また、ベース部材４０が透明または半透明材質の場合、ベース部材４０の裏面から見る時にも同一な明暗の変化が見られるようになる。
【０１１８】
本発明によるディスプレイ装置は、多様な分野で多様な形態での応用が可能である。例えば、前述の偏光区域が単独でまたは多数個集まって絵、ブランド、ロゴなどの模様を有するようにして、本発明によるディスプレイ装置はサインボード（広告看板）またはインテリアデザインなどに使用することができる。
【０１１９】
図６〜図１０は、本発明の二番目側面による偏光ディスプレイ装置を示す。
【０１２０】
まず、図６は、本発明の二番目側面による偏光ディスプレイ装置を例示的に示す。
【０１２１】
本発明の二番目側面による場合、光を偏光させる偏光手段からなる偏光区域８０が提供される。
【０１２２】
本実施例で、ベース部材４０が提供されて前記ベース部材４０の上面４８に偏光区域８０が形成されていて、前記偏光区域８０は偏光フィルム、偏光板や偏光ガラスのような偏光手段からなり光を偏光させることができる。
【０１２３】
図を参照すると、Ａ字形状の偏光フィルム、偏光板や偏光ガラスが前記ベース部材４０の上面４８に付着してＡ字形状の偏光区域８０を形成している。
【０１２４】
このような偏光区域は、後述するように多数個提供することができ、多数個の偏光区域が提供される場合、それら偏光区域の偏光方向は相互に隣接したものは互いに異なることが好ましい。
【０１２５】
本発明の二番目側面による偏光ディスプレイ装置２０００はまた、偏光した光を放出するものであって前記偏光区域を照らす偏光光源を有する。図６〜図１０は、本発明の一番目側面による偏光ディスプレイ装置で提供される偏光方向が回転して変わる光を提供する偏光光源１００を使用する場合を示しているが、下記に説明するように、これに限定されない。
【０１２６】
本発明の二番目側面による場合、前記偏光光源１００と前記偏光区域８０の間には、複屈折媒質２００が置かれる。
【０１２７】
本発明の二番目側面による場合、前記偏光光源から照射される光の偏光方向と前記複屈折媒質２００と前記偏光区域８０は、相互の間で相対的な回転をするが、このような相対的回転は下記の６種類の場合を含む。
【０１２８】
第一に、前記偏光光源から照射される光の偏光方向と前記複屈折媒質２００が相互に相対的な回転を成して、前記偏光区域８０が停止している場合である。この場合は、前記偏光光源から照射される光の偏光方向と前記複屈折媒質２００のどちらか一方が停止していてもう一方が回転する場合、そして両者が回転するがその回転速度が異なる場合を含む。
【０１２９】
ここで、前述の一番目側面による偏光ディスプレイ装置で説明した偏光光源１００は、偏光方向が回転して変わる光が放出されるもので、複屈折媒質２００が停止して、前記偏光区域８０も停止した場合に、本第一の場合に含まれ使用し得る。
【０１３０】
一方、図２７に見られるように、図２６の偏光光源１００に対してケース９００から液晶素子４００の前方に複屈折媒質２００を設置したものも、偏光光源１００の偏光方向は回転して複屈折媒質２００は停止した場合に含まれる。
【０１３１】
第二に、前記偏光光源から放出される光の偏光方向は、一定で前記複屈折媒質２００と前記偏光区域８０が相互に相対的に回転を成す場合である。この場合も、前記複屈折媒質２００と前記偏光区域８０のどちらか一方が停止してもう一方が回転する場合、そして両者が回転するがその回転速度が異なる場合を含む。
【０１３２】
ここで、図２４に見られるように、筐体部８１の内部に光源８が設置されて前記光源８の前方に偏光手段８４が設置されて偏光された光を放出する偏光光源７０に対して、前記筐体部８１において前記偏光手段８４の前方に複屈折媒質２００を回転可能に設置して、前記複屈折媒質２００をモーター４４などの動力で回転させる場合、偏光光源７０の偏光方向は一定で前記複屈折媒質２００は回転する場合に該当する。
【０１３３】
このような場合に、モーター４４の回転を操作する操作部４８とモーターの回転を制御する制御部４６を提供することができ、それによって複屈折媒質２００の回転の範囲（回転角）と回転速度などを調節することができるようになる。
【０１３４】
第三に、前記複屈折媒質２００が停止して前記偏光光源から照射される光の偏光方向と前記偏光区域８０が相互に相対的に回転を成す場合である。この場合も、前記偏光光源から照射される光の偏光方向と前記偏光区域８０のどちらか一方が停止してもう一方が回転する場合、そして両者が回転するがその回転速度が異なる場合を含む。
【０１３５】
ここで、前述の本発明の一番目側面による偏光ディスプレイ装置で説明した偏光光源１００は、偏光方向が回転して変わる光を放出するもので、複屈折媒質２００が停止して、偏光区域８０が停止するかまたは偏光区域８０が偏光光源８０から放出される光の偏光方向の回転速度と異なる速度で回転する場合に、本三番目の場合に含まれ使用し得る。
【０１３６】
第四に、前記偏光光源から放出される光の偏光方向と前記複屈折媒質２００と前記偏光区域８０がすべて回転を成して、それらの間の回転速力が差を有する場合である。この場合にも、本発明の一番目側面による偏光ディスプレイ装置で説明した偏光光源１００を使用することができる。
【０１３７】
第五に、前記偏光光源の偏光方向と前記複屈折媒質２００が一緒に回転を成して、前記偏光区域８０は停止した場合である。
【０１３８】
前記偏光光源の偏光方向と前記複屈折媒質２００が一緒に回転を成す場合では、図２２の偏光光源１００に対して、図２２の偏光光源１００の偏光手段８４の前方に複屈折媒質２００を設置したものがあり得る。例えば、図２２の偏光光源１００で偏光フィルムである偏光手段８４の前面に、フィルム形態の複屈折媒質２００を付着させたものを挙げることができる。
【０１３９】
前記偏光光源の偏光方向と前記複屈折媒質２００が一緒に回転を成すまた他の例は、図２３の偏光光源１００においてモーター４４の回転によって回転する偏光手段８４の前面にフィルム形態の複屈折媒質２００を付着させたものを挙げることができる。
【０１４０】
第六に、前記偏光光源から放出される光の偏光方向は一定で、前記複屈折媒質２００と前記偏光区域８０が一緒に回転を成す場合である。
【０１４１】
このような様々な場合に対して、図６は偏光方向が回転して変化する光を放出する偏光光源１００が提供され、複屈折媒質２００と偏光区域８０が停止した場合を示す。
【０１４２】
前記複屈折媒質２００は、前記偏光光源１００と前記偏光区域８０の間で多様な位置に置くことができるが、前記複屈折媒質２００はフィルムまたは板形態のものを使用して前記偏光区域８０の前面に付着することができ、図２７のように偏光光源１００に複屈折媒質２００を設置することもできる。
【０１４３】
一方、図２４のように偏光された光を放出する偏光光源７０を提供して、前記偏光光源７０の前方で複屈折媒質２００が回転するように設置することもできる。この場合は、偏光光源７０は停止して放出される光の偏光方向は一定で、前記複屈折媒質２００が回転して前記偏光区域８０と相対的回転を成す場合に属する。
【０１４４】
前記複屈折媒質２００は、光を複屈折させるもので、複屈折性を有するＯＰＰフィルムやセロハンフィルムなどを使用することができ、また複屈折のために特別に製造された複屈折フィルムを使用することができる。複屈折媒質として、複屈折板、複屈折レンズなどを利用することができることはもちろんである。
【０１４５】
本発明の場合、前記偏光光源から照射される光の偏光方向と前記複屈折媒質２００と前記偏光区域８０相互間の相対的な回転は、一部角度の回転を含む。例えば、３０度、６０度、９０度または１８０度などの回転を含む。
【０１４６】
このような本発明の二番目側面による偏光ディスプレイ装置２０００の場合、まず偏光光源１００から偏光になって照射された光が前記複屈折媒質２００に入射して複屈折を成すようになり、それを通過しながら光はその波長によってそれぞれ異なる偏光方向を有するようになって、前記偏光区域８０には波長によってそれぞれ異なる偏光方向を有する光が進入するようになる。
【０１４７】
このように波長別にそれぞれ異なる偏光方向を有する光が、前記偏光区域８０に進入する場合、その偏光方向が前記偏光区域８０の偏光方向と垂直を成す波長のものは、前記偏光区域８０を通過することができずに、それ以外の波長のものの場合は、偏光方向によって全部または一部が通過するようになって、前記偏光区域８０には通過した波長による色が混合して特定の色相が現われる。
【０１４８】
ところが、本発明の場合、偏光光源１００から出力されて複屈折媒質２００に入射する光の偏光方向自体が変化するにつれて、複屈折媒質２００を通過しながら波長別にそれぞれ変わる偏光方向自体が変化するようになって、前記偏光区域８０に進入する光は、各波長別に偏光方向が異なりそれら各波長別に偏光方向が変化する状態になる。それによって、前記偏光区域８０に現われる色相は、偏光光源１００の偏光方向の変化にしたがって変化するようになる。
【０１４９】
これは、前記複屈折媒質２００が回転を成す場合も同様で、偏光光源１００から照射された偏光した光が前記回転する複屈折媒質２００を通過しながら各波長別に偏光方向の変化をするようになって、各波長別に偏光方向が変化するようになり、前記偏光区域８０には波長別色相が混合して現われる色相が変化するようになる。
【０１５０】
このように偏光区域で色相が変化することは、前記偏光光源から照射される光の偏光方向と前記複屈折媒質２００と前記偏光区域８０が相互に相対的に回転を成す場合に現われるようになる。
【０１５１】
万一、偏光区域が多数個存在する場合、偏光方向が他の偏光区域の間では互いに異なる色相が互いに異なるように変化して現われるようになるが、これを下記で例示的に説明することにする。
【０１５２】
図７は、本発明の二番目側面による偏光ディスプレイ装置の第１実施例２０００ａを示す。
【０１５３】
図示されたように、ベース部材４０の上面４８にＡ字形状の偏光区域８０が形成されて、その上面に複屈折媒質２００が付着している。
【０１５４】
前記複屈折媒質２００は、ベース部材４０の上面をすべて覆う必要はなく、単に偏光区域８０のみを覆うだけでも充分である。
【０１５５】
本実施例の場合、偏光方向が回転して変化する光を放出する偏光光源１００が提供されて前記偏光区域８０を照射している。本発明の場合、偏光光源は多数個提供することができる。
【０１５６】
このような本発明の二番目側面による偏光ディスプレイ装置の第１実施例２０００ａの作動を、下記に説明する。
【０１５７】
前記偏光光源１００から放出された偏光方向の回転する光は、前記複屈折媒質２００を通過して前記偏光区域８０に照射される。
【０１５８】
この場合、前記偏光光源１００から照射されて前記複屈折媒質２００を通過した光は、波長によってそれぞれ異なる偏光方向を有し、同時に偏光光源の偏光方向の回転によって各波長別の偏光方向がさらに変化するものである。
【０１５９】
このように、波長別にそれぞれ異なりながら変化する偏光方向を有する光が前記偏光区域８０に進入すると、偏光方向が前記偏光区域８０の偏光方向と垂直を成す波長のものは前記偏光区域８０を通過することができずに、それ以外の波長のもの場合は偏光方向によって全部または一部が通過を成すようになり、前記偏光区域８０には通過した波長による色の混合した色相が現われるようになって、偏光区域８０に進入する光が波長別に偏光方向が変化することによって、偏光区域８０に現われる色相も変化をするようになる。すなわち、前記偏光区域８０には、偏光光源１００の偏光方向の変化にしたがって色相が変化して現われるようになる。
【０１６０】
万一、ベース部材４０が色相を有する場合、ベース部材の色相と通過した光の色相が混合して現われる。
【０１６１】
一方、前述したのはベース部材４０で光が反射して光源の方から見た場合で、万一、ベース部材４０が透明または半透明材質の場合、一部の光はベース部材４０で反射して一部の光はベース部材４０を通過するようになり、ベース部材４０を通過した光の場合にも反射する場合と同一色相の変化を現わして、ベース部材４０の裏面から見る時にも同一部分の同一色相の変化が見られるようになる。
【０１６２】
前記偏光光源１００から照射される光の偏光方向の変化（例えば、回転範囲（回転角）または回転速度など）を調整することで、前記偏光区域８０に現われる色相の変化を調整することができる。
【０１６３】
図８は、本発明の二番目側面による偏光ディスプレイ装置の第２実施例２０００ｂを示す。
【０１６４】
本第２実施例による偏光ディスプレイ装置２０００ｂの場合、二つの偏光区域８０、１８０ａが提供され、それら偏光区域８０と１８０ａの偏光方向はそれぞれ垂直を形成している。
【０１６５】
Ａ字形状の第１偏光区域８０に対してその周辺部が第２偏光区域１８０ａを形成していて、第１偏光区域８０の偏光方向８８と第２偏光区域１８０の偏光方向１８８ａは相互に垂直を形成している。
【０１６６】
例えば、Ａ字形状の偏光フィルムを付けて第１偏光区域８０を形成して、その周辺に前記第１偏光区域８０の偏光方向８８と垂直である偏光方向１８８ａを有するように偏光フィルムを付けて第２偏光区域１８０ａを形成することができる。
【０１６７】
二つの偏光区域８０、１８０ａの前面にフィルム形態の複屈折媒質２００が付着している。
【０１６８】
このような場合、これら偏光区域８０、１８０ａそれぞれの偏光方向が異なることによって、それぞれの区域を通過する光の波長は異なるようになり、それぞれの区域で互いに異なる色相が変化して現われ、偏光光源１００の偏光方向が回転することによって一区域に現われた色相が時間差を置いて他の区域に現われるようになる。
【０１６９】
前記偏光光源１００から照射される光の偏光方向の変化（例えば、回転範囲または回転速度など）を調整することで、前記偏光区域８０、１８０ａに現われる色相の変化を調整することができる。
【０１７０】
図９は、本発明の二番目側面による偏光ディスプレイ装置の第３実施例２０００ｃを示す。
【０１７１】
本第３実施例による偏光ディスプレイ装置２０００ｃの場合、二つの偏光区域８０、１８０ｂが提供され、それら偏光区域８０と１８０ｂの偏光方向は相互に４５度の差を形成している。
【０１７２】
すなわち、Ａ字形状の第１偏光区域８０に対してその周辺部が第２偏光区域１８０ｂを形成していて、第１偏光区域８０の偏光方向８８と第２偏光区域１８０の偏光方向１８８ａは相互に４５度の差を有している。
【０１７３】
例えば、Ａ字形状の偏光フィルムを付けて第１偏光区域８０を形成して、その周辺に前記第１偏光区域８０の偏光方向８８と４５度の差を有する偏光方向１８８ｂが形成されるように、偏光フィルムを付けて第２偏光区域１８０ｂを形成することができる。
【０１７４】
このような二つの偏光区域８０、１８０ｂの前面に、前述のフィルム形態の複屈折媒質２００が付着している。
【０１７５】
このような場合、これら偏光区域８０、１８０ｂそれぞれの偏光方向が異なることによって、それぞれの区域を通過する光の波長は異なるようになり、それぞれの区域で互いに異なる色相が変化して現われ、偏光光源１００の偏光方向が回転することによって前記偏光区域８０、１８０ｂで順番に色相が変化する。
【０１７６】
前記偏光光源１００から照射される光の偏光方向の変化（例えば、回転範囲（回転角）または回転速度など）を調整することで、前記偏光区域８０、１８０ｂに現われる色相の変化を調整することができる。
【０１７７】
図１０は、本発明の二番目側面による偏光ディスプレイ装置の第４実施例２０００ｄを示す。
【０１７８】
本題４実施例による偏光ディスプレイ装置２０００ｄの場合、三つの偏光区域８０、１８０ｃ、２８０が提供され、それら偏光区域８０、１８０ｃ、２８０の偏光方向は順番に４５度の差を有している。例えば、第１偏光区域８０の偏光方向８８が９０度の場合、第２偏光区域１８０ｃの偏光方向１８８ｃは４５度であって、第３偏光区域２８０の偏光方向２８８は０度である。
【０１７９】
Ａ字形状の第１偏光区域８０とＢ字形状の第３偏光区域２８０が提供され、それらの周辺部が第２偏光区域１８０ｃを形成していて、これら第１偏光区域８０、第２偏光区域１８０ｃ及び第３偏光区域２８０の偏光方向８８、１８８ｃ、２８８は、順番に４５度の差を有している。
【０１８０】
例えば、Ａ字形状の偏光フィルムを付けて第１偏光区域８０を形成して、Ｂ字形状の偏光フィルムをその偏光方向２８８が前記第１偏光区域８０の偏光方向８８と９０度の差を有するように付けて第３偏光区域１８０ｃを形成し、それら第１偏光区域８０と第３偏光区域２８０の周辺に前記第１偏光区域８０の偏光方向８８及び前記第３偏光区域２８０の偏光方向２８８と４５度の差を有する偏光方向１８８ｃが形成されるように偏光フィルムを付けて第２偏光区域１８０ｃを形成することができる。
【０１８１】
このような三つの偏光区域８０、１８０ｃ、２８０の前面に前述のフィルム形態の透明の複屈折媒質２００が付着している。
【０１８２】
このような場合、これら偏光区域８０、１８０ｃ、２８０それぞれの偏光方向が異なることによって、それぞれの区域を通過する光の波長は異なるようになり、それぞれの区域で互いに異なる色相が変化して現われる。特別に、本実施例の場合、前記偏光区域８０、１８０ｃ、２８０で順番に色相が変化する。
【０１８３】
前記偏光光源１００から照射される光の偏光方向の変化（例えば、回転範囲（回転角）または回転速度など）を調整することで、前記偏光区域８０、１８０ｃ、２８０に現われる色相の変化を調整することができる。
【０１８４】
万一、ベース部材４０が色相を有する場合、ベース部材の色相と通過した光の色相が混合してそれぞれの偏光区域８０、１８０ｃ、２８０で現われる。
【０１８５】
一方、前述したのはベース部材４０で光が反射して光源の方から見た場合で、万一、ベース部材４０が透明または半透明材質の場合は、一部の光はベース部材４０で反射し、一部の光はベース部材４０を通過するようになり、ベース部材４０を通過した光の場合にも反射する場合と同一色相の変化を現わしてベース部材４０の裏面から見る時にも、同一部分の同一色相の変化を見られるようになる。
【０１８６】
本発明の場合、偏光光源は多数個設置することができる。
【０１８７】
このような本発明の二番目側面による偏光ディスプレイ装置は、多様な分野で多様な形態での応用が可能であるが、例えば、前述の偏光区域が単独でまたは多数個が集まって絵、ブランド、ロゴなどの模様を有するようにして、それらで色相が変化したように見えるようにしてサインボード（広告看板）またはインテリアデザインとして使用することができ、広告や広報などの分野で多様に活用することができる。
【０１８８】
本二番目側面による偏光ディスプレイ装置は、一番目側面によるものと比較して偏光区域が色相を表現してその色相が変化するというものである。したがって、本発明の一番目側面による偏光ディスプレイ装置と比較して、さらに多彩な表現が可能になる。
【０１８９】
一方、本発明による偏光ディスプレイ装置は、偏光区域を建物のガラス窓に設置してガラス窓で偏光区域によって明暗または色相の変化を演出することができ、このような場合は一種のサインボードとしても使用することができ、建物の美観を増進させるために使用することもできる。これは、後述する三番目及び四番目側面による場合も同じである。特別にこのような場合は、多彩な色相が現われる本発明の二番目、三番目及び四番目側面がさらに相応しいことがある。それ以外に、本発明の偏光ディスプレイ装置は、多様に活用することができる。
【０１９０】
一方、本発明の一番目側面による明暗の変化と二番目側面による色相の変化を組み合わせて独特のディスプレイ効果を得るようにすることもできる。
【０１９１】
本発明の場合、前記偏光光源から前記偏光区域に照射される光は、その強さが減少することはするが視覚的に妨害を起こすものではない。すなわち、偏光区域に照射される光自体は白色光を使用することができ、また色相が変化しないので視覚的な妨害はない。したがって、本発明による偏光ディスプレイ装置が設置された場合、人々は視覚的妨害を起こさなくなり日常的に生活することができるようになる。すなわち、本発明は、光源から照射される光が人に視覚的妨害を起こさずに前記光が照射される特定区域が多様な色相の変化を起こすディスプレイを成す偏光ディスプレイ装置を提供する。
【０１９２】
図１１〜図１５は、本発明の三番目側面による偏光ディスプレイ装置を示す。
【０１９３】
まず、図１１は、本発明の三番目側面による偏光ディスプレイ装置２０００’を例示的に示す。
【０１９４】
本発明の三番目側面による場合、光の通過時に複屈折が起きる複屈折媒質からなる複屈折区域２００が提供され、図１１を参照すると、前記複屈折区域２００は複屈折フィルムをＡ字の形状に形成して成り立っている。このような複屈折区域は、後述するように複屈折特性が異なるいくつかのものを提供することができる。
【０１９５】
本発明の三番目側面による場合、偏光方向が変化する偏光した光を照射する偏光光源が提供され、前述の一番目側面での偏光光源１００を使用することができる。このような偏光光源１００は、前記複屈折媒質からなる複屈折区域２００を照射する。
【０１９６】
本発明の三番目側面による場合、前記複屈折区域２００の裏側には光を偏光する偏光手段からなる偏光区域８０が提供される。
【０１９７】
このような偏光区域８０は、偏光フィルム、偏光板や偏光ガラスのような偏光手段からなり得るが、本三番目側面による偏光ディスプレイ装置２０００’において前記偏光区域８０は、例えば、偏光フィルムからなりベース部材４０に付着している。
【０１９８】
前記複屈折区域２００を成す複屈折媒質は、多様なものを使用することができるが、本三番目側面による偏光ディスプレイ装置２０００’では、例えば、フィルムまたは板形態のものを使用し、前記ベース部材４０に付着した偏光区域８０の上面に付着している。
【０１９９】
前述のフィルム形態の複屈折媒質は、複屈折性を有するＯＰＰフィルムやセロハンフィルムなどを利用することができ、それ以外の複屈折のために特別に製造された複屈折フィルムや複屈折板などを利用することができる。
【０２００】
このような本発明の三番目側面による偏光ディスプレイ装置２０００’による場合、まず偏光光源１００から偏光して照射された光が、前記複屈折区域２００に入射して複屈折を成すようになり、それを通過しながら光はその波長によってそれぞれ偏光方向が異なって変化して、前記偏光区域８０には波長によってそれぞれ異なる偏光方向を有する光が進入するようになる。
【０２０１】
このように波長別にそれぞれ異なる偏光方向を有する光が前記偏光区域８０に進入する場合、その偏光方向が前記偏光区域８０の偏光方向と垂直を成す波長のものは前記偏光区域８０を通過することができずに、それ以外の波長のものの場合は、偏光方向によって全部または一部が通過するようになり、通過した波長による色が混合した特定色相が前記複屈折区域２００に現われるようになる。
【０２０２】
万一、複屈折特性が異なる複屈折区域が多数個存在する場合、複屈折区域別に複屈折特性によって各複屈折区域を通過した光の波長別の偏光方向が複屈折区域間で異なるようになって、複屈折区域別で互いに異なる色相が現われるようになる。
【０２０３】
ところが、本発明の三番目側面による場合、偏光光源１００から出力されて複屈折区域２００に入射する光の偏光方向自体が変化するにつれて、複屈折区域２００を通過しながら波長別にそれぞれ異なる偏光方向自体が変化するようになり、前記偏光区域８０に進入する光は各波長別に偏光方向が異なってそれら偏光方向が変化する状態になる。それによって、前記複屈折区域２００に現われる色相は、偏光光源１００の偏光方向の変化にしたがって変化するようになる。
【０２０４】
そして、複屈折特性が異なる複屈折区域が多数個存在する場合、偏光光源の偏光方向の変化にしたがって各複屈折区域別に色相が互いに異なるように変化する形状で現われるようになる。これを下記で例示的に説明することにする。
【０２０５】
図１２は、本発明の三番目側面による偏光ディスプレイ装置の第１実施例２０００’ａを示す。
【０２０６】
ベース部材４０の上面に偏光区域８０が形成され、その上面にＡ字形状の複屈折フィルムが付着して複屈折区域２００を形成している。前記複屈折区域２００を成す複屈折フィルムは、前述のように複屈折性を有するＯＰＰフィルムやセロハンフィルムなどを使用することができ、複屈折のために製造された複屈折フィルムまたは複屈折板を利用することができる。
【０２０７】
偏光光源１００は偏光された光を照射して、その照射する光の偏光方向を変化させることができ、このように照射された光は前記複屈折区域２００を照射して前記複屈折区域２００では、偏光光源１００から照射される光の偏光方向の変化にしたがって色相が変化して現われる。
【０２０８】
前記偏光光源１００から照射される光の偏光方向の変化（例えば、回転範囲（回転角）または回転速度など）を調整することで、前記複屈折区域８０に現われる色相の変化を調整することができる。
【０２０９】
一方、ベース部材４０が透明または半透明材質の場合、一部の光はベース部材４０で反射して一部の光はベース部材４０を通過するので、ベース部材４０を通過した光の場合にも反射する場合と同一色相の変化を現わし、ベース部材４０の裏面から見る時にも同一部分の同一色相の変化が見られる。
【０２１０】
図１３は、本発明の三番目側面による偏光ディスプレイ装置の第２実施例２０００’ｂを示す。
【０２１１】
本発明の三番目側面による第２実施例２０００’ｂの場合、二つの複屈折区域２００、２８０ａが提供され、それら複屈折区域２００と２８０ａの複屈折特性は異なる。すなわち、Ａ字形状の第１複屈折区域２００に対してその周辺部が第２複屈折区域２８０ａを形成していて、これら複屈折区域２００と２８０ａの複屈折特性は相互に異なる。
【０２１２】
複屈折特性は、光線が複屈折媒質に入射して複屈折する各屈折光の屈折角（媒質での速度）、屈折方向または複屈折媒質中で複屈折して進行する距離などのように、複屈折が異なって成り立つようにする特性をいう。
【０２１３】
複屈折媒質自体を異なるものを使用して（例えば、セロハンフィルムとＯＰＰフィルムのように材質が異なる場合）複屈折特性を異にすることができ、または同一複屈折媒質であってもその厚さを異にするかその配置方向を異にするか（例えば、横方向に置く場合と縦方向に置く場合）またはその積層手順を異にして（例えば、複屈折特性が互いに異なる複屈折媒質ＡとＢをＡ−Ｂの順に積層する場合とＢ−Ａの順に積層する場合）、複屈折特性が異なるようにできる。
【０２１４】
前記複屈折区域２００、２８０ａの場合、それぞれが互いに異なる材質の複屈折媒質を使用して複屈折特性を相互に異なるようにできる。例えば、一つはセロハンフィルムからなるものを、他の一つはＯＰＰフィルムからなるものを使用することができる。
【０２１５】
また、同一複屈折媒質でも厚さを異にしてそれらの間の複屈折特性を異にすることができ、重ねる数を異にして厚さを異にすることができる。例えば、複屈折区域２００は、１重にして複屈折区域２８０ａは２重にするような場合である。
【０２１６】
また、同一複屈折媒質でも配置方向を異にして複屈折特性が異なるようにできる。例えば、同一の複屈折フィルムの全紙から切り取ったものでも、一つは横方向に切ったもので、他の一つは縦方向に切ったものを使用することができる。
【０２１７】
例えば、図１５に見られるように、同一の複屈折フィルム全紙２から複屈折領域２００はＡ字が縦方向に立てられたものを切り取る。前記複屈折領域２８０ａは、Ａ字を横方向に形成した後に切り取る（図１５の（ａ））。参考に、本図の斜線を引いた部分は切り取られて空き部分が形成されたことを現わす。
【０２１８】
以後、前記複屈折領域２００を前記複屈折領域２８０ａの空き空間部２８０８ａに配置するが、これらの配置方向が異なっていて複屈折特性が相互に異なるようになる（図１５の（ｂ））。
【０２１９】
また、図１３では、二つの複屈折区域２００、２８０ａの裏面に偏光フィルムからなる偏光区域８０が配置される。
【０２２０】
このような場合、前記偏光光源１００を出て前記複屈折区域２００、２８０ａを通過する光は、個々の複屈折区域２００、２８０ａで波長によってそれぞれ異なる偏光方向を有するようになるが、個々の複屈折区域２００、２８０ａの複屈折特性が異なることによって個々の複屈折区域２００、２８０ａを通過した光の波長別の偏光方向もそれぞれ異なるようになって、前記偏光光源１００から照射される光の偏光方向が変化するにつれて、個々の複屈折区域２００、２８０ａ別に互いにそれぞれ異なって波長別に偏光方向が変化を起こすようになる。
【０２２１】
このように複屈折区域２００、２８０ａ別に波長別に偏光方向が変化した光が、前記偏光区域８０に進入し、前記偏光区域８０の偏光方向と垂直である偏光方向の波長は通過することができず、それ以外の波長は全部または一部が通過をして、個々の複屈折区域２００、２８０ａ別に互いに異なる色相が現われるようになり、またこれが偏光光源１００で偏光方向を変化させることによって、それぞれ異なった変化を成すようになる。
【０２２２】
同様に、ベース部材４０が透明または半透明材質の場合、同一な変化をベース部材４０の裏面から見られるようになる。
【０２２３】
前記偏光光源１００から照射される光の偏光方向の変化（例えば、回転範囲または回転速度など）を調整することで、前記複屈折区域２０、２８０ａに現われる色相の変化を調整することができる。
【０２２４】
図１４は、本発明の三番目側面による偏光ディスプレイ装置の第３実施例２０００’ｃを示す。
【０２２５】
本発明の三番目側面による偏光ディスプレイ装置の第３実施例１０００ｃの場合、三つの複屈折区域２００、２８０ｂ、２８０ｃが提供され、それらの複屈折特性は相互に異なる。
【０２２６】
すなわち、Ａ字形状の第１複屈折区域２００とＢ字形状の第３複屈折区域２８０ｃが提供され、それらの周辺部が第２複屈折区域２８０ｂを形成していて、これら複屈折区域２００、２８０ｂ、２８０ｃの複屈折特性は相互に異なる。
【０２２７】
このような三つの複屈折区域２００、２８０ｂ、２８０ｃの裏面に前述のフィルム形態の偏光フィルムを付着して偏光区域８０を形成している。
【０２２８】
このような場合、前記偏光光源１００を出た光は、前記複屈折区域２００、２８０ｂ、２８０ｃを通過しながらこれら複屈折区域２００、２８０ｂ、２８０ｃごとに異なって波長別に異なる偏光方向を有するようになる。
【０２２９】
このように複屈折区域２００、２８０ｂ、２８０ｃごとに異なって波長別に異なる偏光方向を有する光が、偏光区域８０を通過しながら前記偏光区域８０の偏光方向と垂直を成す偏光方向の波長は通過することができず、それ以外の波長は全部または一部が通過して、複屈折区域２００、２８０ｂ、２８０ｃごとに互いに異なる色相が見えるようになる。
【０２３０】
ここで、前記偏光光源１００の光の偏光方向が変化しているので、複屈折区域２００、２８０ｂ、２８０ｃごとに互いに異なる色相の変化が見られる。
【０２３１】
ベース部材４０が透明または半透明材質の場合、同一な変化をベース部材４０の裏面から見られるようになる。
【０２３２】
前記偏光光源１００から照射される光の偏光方向の変化（例えば、回転範囲または回転速度など）を調整することで、前記複屈折区域２００、２８０ｂ、２８０ｃに現われる色相の変化を調整することができる。
【０２３３】
本発明の場合、前記偏光光源１００は多数個設置することができる。
【０２３４】
偏光光源１００が多数個設置される場合、これら偏光光源１００から照射される光の偏光方向が初期に一致するようにして、以後変化が続くことによって多数個の偏光光源の偏光方向の不一致が発生しないように同期化のための制御装置が必要なことがある。このような同期化が必ず必要なのではなく、場合によっては独特の効果を演出するために同期化をしないこともある。一方、図２５の液晶素子５００を用いた偏光光源の場合は、同期化が必要ではない。
【０２３５】
一方、前記偏光区域８０は、その偏光方向が異なるいくつかの偏光区域からなり得る。それによって多数個の複屈折区域の裏側に多数個の偏光区域が形成され、それらの組合わせによるディスプレイ効果を得ることができる。
【０２３６】
本発明の場合、複屈折区域が多数個提供される時、これらの複屈折特性は相互に隣接したものが異なり、すべての複屈折区域が相互に複屈折特性の異なる必要はない。
【０２３７】
例えば、図１４を参考にすると、三つの複屈折区域２００、２８０ｂ、２８０ｃで第１複屈折区域２００は隣接した第２複屈折区域２８０ｂと複屈折特性が異なれば充分で、第３複屈折区域２８０ｃとは複屈折特性が同じことがある。
【０２３８】
本三番目側面による偏光ディスプレイ装置は、複屈折領域で多彩な色相が変化して現われるようになるが、複屈折区域が単独でまたは多数個が集まって絵、ブランド、ロゴ、キャラクターなどの模様を有するようにして、それらで色相が変化したように見えるようにしてサインボード（広告看板）またはインテリアデザインとして使用することができ、広告や広報などの分野で多様に活用することができる。
【０２３９】
また、複屈折区域を建物のガラス窓など外部に設置して、ガラス窓などで複屈折区域によって色相の変化を演出することができ、このような場合には一種のサインボードとしても使用することができ、建物の美観を増進させるために使用することもできる。
【０２４０】
一方、前記偏光光源から前記照射される光は、視覚的妨害を起こさないことは、前述の一番目及び二番目側面による場合と同じである。
【０２４１】
図１６〜図２１は、本発明の四番目側面による偏光ディスプレイ装置を示す。
【０２４２】
まず、図１６及び図１７は、本発明の四番目側面による偏光ディスプレイ装置の第１実施例３０００ａを示す。
【０２４３】
まず、光を偏光させる偏光手段からなる偏光区域８０が提供される。
【０２４４】
前記偏光区域８０は、偏光フィルム、偏光板や偏光ガラスのような偏光手段からなり、光を偏光させることができる。
【０２４５】
図を参照すると、Ａ字形状の偏光フィルムや偏光ガラスが前記ベース部材４０の上面４８に付着して、Ａ字形状の偏光区域８０を形成している。
【０２４６】
このような偏光区域は、後述するように多数個が提供することができ、多数個の偏光区域が提供される場合、それら偏光区域の偏光方向は相互に隣接したものは互いに異なることが好ましい。
【０２４７】
本発明の四番目側面による場合、偏光光源が提供されるが、前記偏光光源は偏光されたもので、前記偏光区域８０を照らす特定色相の光を照射するものである。
【０２４８】
また、本発明の四番目側面による場合、前記偏光光源から放出される偏光された光の偏光方向と前記偏光区域は、相互に変化を成す。このような場合の例として、本発明の四番目側面による偏光光源の実施例では、偏光方向が変化する偏光された光を放出する偏光光源１００’が提供され、前記偏光区域は停止している。
【０２４９】
したがって、前記偏光光源１００’は、特定色相の偏光方向が変わる偏光した光を照射するものであるが、このような偏光光源１００’は  本発明の一番目側面で使用された偏光光源１００において、前記光源８を特定色相を放出するものに代替することで提供することができる。例えば、図２２、図２３及び図２６の偏光光源１００の光源８を特定色相を放出する光源に代替して得ることができる。
【０２５０】
このように、本発明の四番目側面による場合、特定色相の偏光方向が変わる偏光した光を放出する偏光光源１００’は、前記複屈折区域８０を照射する。
【０２５１】
この場合、前記偏光光源１００’から照射される光が前記偏光区域８０を照らすことによって、前記偏光区域８０には前記偏光光源１００’の特定色相が現われるようになり、前記光の偏光方向が変化するにつれって前記光の偏光方向が前記偏光区域８０の偏光方向と垂直を成す地点になると、その光は前記偏光区域８０を通過することができなくなる。
【０２５２】
前記偏光光源１００’から照射される光の偏光方向の変化につれて、前記偏光区域８０で光の通過が成り立つ場合は、前記偏光区域８０は前記偏光光源１００’の光の色相が見え、光の通過が成り立たない場合は暗くなるか黒く見えるようになる。
【０２５３】
万一、ベース部材４０が色相を有する場合、通過した光の色とベース部材の色が混合したように見える。
【０２５４】
一方、前述したのはベース部材４０で光が反射して光源の方から見た場合であって、万一、ベース部材４０が透明または半透明材質の場合は、一部の光はベース部材４０で反射して一部の光はベース部材４０を通過するようになり、ベース部材４０を通過した光の場合にも反射する場合と同一色相の変化を現わし、ベース部材４０の裏面から見る時にも同一部分の同一色相の変化を見られるようになる。
【０２５５】
図１８は、本発明の四番目側面による偏光ディスプレイ装置の第２実施例３０００ｂを示す。
【０２５６】
本発明の四番目側面による偏光ディスプレイ装置の第２実施例３０００ｂの場合、二つの偏光区域８０、１８０ａが提供され、それら偏光区域８０と１８０ａの偏光方向はそれぞれ垂直を形成している。
【０２５７】
すなわち、Ａ字形状の第１偏光区域８０に対してその周辺部が第２偏光区域１８０ａを形成していて、第１偏光区域８０の偏光方向８８と第２偏光区域１８０の偏光方向１８８ａは相互に垂直を形成している。
【０２５８】
例えば、Ａ字形状の偏光フィルムを前記ベース部材４０に付けて第１偏光区域８０を形成して、その周辺に前記第１偏光区域８０の偏光方向８８と垂直である偏光方向１８８ａが形成されるように偏光フィルムを付けて第２偏光区域１８０ａを形成することができる。
【０２５９】
前記偏光光源１００’から照射される特定色相の光の偏光方向が変化するにつれて、前記特定色相の光の偏光方向が前記第１偏光区域８０の偏光方向と垂直になると前記第１偏光区域８０は通過することができなくて、以後前記第２偏光区域１８０ａと垂直を成すようになると第２偏光区域１８０ａを通過することができなくなる。
【０２６０】
この場合、前記第１偏光区域８０と前記第２偏光区域１８０ａの偏光方向は相互に垂直で、偏光光源１００’の光の偏光方向は前記第１偏光区域８０の偏光方向と垂直である時、前記第２偏光区域１８０ａの偏光方向とは水平を形成し、逆に前記第２偏光区域１８０ａの偏光方向と垂直である時、前記第１偏光区域８０の偏光方向とは水平を成すようになる。
【０２６１】
これによって、前記偏光ディスプレイ装置３０００ｂの二つの偏光区域８０、１８０ａは、一方が光源の色を帯びる時、もう一方は光の通過が遮断されて暗くなるか黒く見えるようになる。
【０２６２】
前記偏光光源１００’から照射される光の偏光方向の変化（例えば、回転範囲または回転速度など）を調整することで、前記偏光区域８０と１８０ａ間の色相の変化を調整することができるようになる。
【０２６３】
図１９は、本発明の四番目側面による偏光ディスプレイ装置の第３実施例３０００ｃを示す。
【０２６４】
本発明の四番目側面による偏光ディスプレイ装置の第３実施例３０００ｃの場合、二つの偏光区域８０、１８０ｂが提供され、それら偏光区域８０と１８０ｂの偏光方向は相互に４５度の差を有している。
【０２６５】
すなわち、Ａ字形状の第１偏光区域８０に対してその周辺部が第２偏光区域１８０ｂを形成していて、第１偏光区域８０の偏光方向８８と第２偏光区域１８０の偏光方向１８８ａは相互に４５度の差を有している。
【０２６６】
例えば、Ａ字形状の偏光フィルムを前記ベース部材４０の前面４８に付けて第１偏光区域８０を形成して、その周辺に前記第１偏光区域８０の偏光方向８８と４５度の差を有する偏光方向１８８ｂが形成されるように偏光フィルムを付けて第２偏光区域１８０ｂを形成することができる。
【０２６７】
このような場合、前記偏光光源１００’から照射される特定色相の光の偏光方向が変化するにつれて、前記光の偏光方向が前記第１偏光区域８０の偏光方向と垂直になると前記第１偏光区域８０は通過することができなくて、以後前記第２偏光区域１８０ｂと垂直を成すようになると第２偏光区域１８０ｂを通過することができなくなる。
【０２６８】
これによって、前記二つの偏光区域８０、１８０ｂにおいて、両方がともに光源の色を帯びてからいずれか一方が暗くなるか黒くなる。
【０２６９】
前記偏光光源１００’から照射される光の偏光方向の変化（例えば、回転範囲または回転速度など）を調整することで、前記偏光区域８０と１８０ｂ間の色相の変化を調整することができるようになる。
【０２７０】
図２０は、本発明の四番目側面による偏光ディスプレイ装置の第４実施例３０００ｄを示す。
【０２７１】
本発明の四番目側面による偏光ディスプレイ装置の第４実施例３０００ｄの場合、三つの偏光区域８０、１８０ｃ、２８０が提供され、それら偏光区域８０、１８０ｃ、２８０の偏光方向は、順番に４５度の差を形成している。すなわち、第１偏光区域８０の偏光方向８８が９０度の場合、第２偏光区域１８０ｃの偏光方向１８８ｃは４５度を形成していて、第３偏光区域２８０の偏光方向２８８は０度を形成している。
【０２７２】
すなわち、Ａ字形状の第１偏光区域８０とＢ字形状の第３偏光区域２８０が提供されて、これらの周辺部が第２偏光区域１８０ｃを形成していて、これら第１偏光区域８０、第２偏光区域１８０ｃ及び第３偏光区域２８０の偏光方向８８、１８８ｃ、２８８は、順番に４５度の差を有している。
【０２７３】
例えば、Ａ字形状の偏光フィルムをベース部材４０の上面４８に付けて第１偏光区域８０を形成して、Ｂ字形状の偏光フィルムをその偏光方向２８８が前記第１偏光区域８０の偏光方向８８と９０度の差を有するように付けて第３偏光区域１８０ｃを形成して、これら第１偏光区域８０と第３偏光区域２８０の周辺に前記第１偏光区域８０の偏光方向８８及び前記第３偏光区域２８０の偏光方向２８８と４５度の差を有する偏光方向１８８ｃが形成されるように偏光フィルムを付けて第２偏光区域１８０ｃを形成することができる。
【０２７４】
このような場合、前記偏光光源１００’から照射される特定色相の光の偏光方向が変化するにつれて、前記第１偏光区域８０の偏光方向と垂直になると前記第１偏光区域８０は通過することができなくて、以後前記第２偏光区域１８０ｃと垂直を成すようになると第２偏光区域１８０ｂを通過することができなくなり、次に前記第３偏光区域２８０と垂直を成すようになると第３偏光区域２８０を通過することができなくなる。
【０２７５】
これによって、前記三つの偏光区域８０、１８０ｃ、２８０が順番に暗くなるか黒く見えて、それ以外の部分は偏光光源１００’の光の色相を帯びるようになる。
【０２７６】
本発明の四番目側面による場合、前記偏光光源１００’は多数個設置することができる。
【０２７７】
図２１は、本発明の四番目側面による偏光ディスプレイ装置の第５実施例３０００ｅである。
【０２７８】
この場合、特定色相の偏光方向が変わる偏光した光を照射する偏光光源は、Ｒ（赤色）、Ｇ（緑色）、Ｂ（青色）の色相を放出する三つ１００’ａ、１００’ｂ、１００’ｃが提供されている。これによって、多様な色相を表現して色相の変化を演出することができるようになる。
【０２７９】
すなわち、他の二つは消して一つだけの偏光光源を作動する場合、作動した偏光光源の色相が前記偏光区域８０、１８０ｃ、２８０を照射するようになり、この場合の効果は図２０を参考に説明した場合と同じである。
【０２８０】
万一、一つの光源は消して他の二つを作動する場合、前記偏光区域８０、１８０ｃ、２８０では、それぞれの光源の色相が混合して表現される。
【０２８１】
三つの光源をすべて作動する場合は、前記偏光区域８０、１８０ｃ、２８０でこれら三つの光源の色相の混合として表現される。
【０２８２】
Ｒ、Ｇ、Ｂは、基本色であり、これらの混合割合を決定することによって偏光区域に表現される色相を決定することができるようになる。ゆえに、本発明の場合、偏光区域に多様な色相を表現することができ、このようなＲ、Ｇ、Ｂの偏光光源１００’ａ、１００’ｂ、１００’ｃの偏光方向が変化することによって、区域別に多様な色相の変化の演出が可能になるものである。
【０２８３】
一方、Ｒ（赤色）、Ｇ（緑色）、Ｂ（青色）の偏光光源１００’ａ、１００’ｂ、１００’ｃを隣接するように配置して、照射範囲を一致させる場合、これらの光は混合して白色光になって視覚的妨害を起こさない。
【０２８４】
このような混合割合の決定は、それぞれの偏光光源１００’ａ、１００’ｂ、１００’ｃの光の偏光方向の変化を調整して成すことができ、一方それぞれの偏光光源の光量を調節するとか、それぞれの偏光光源が照射する位置を調節して成すことができる。（例えば、三つの光源の光が１ヶ所に集中する場合と分散する場合など）
【０２８５】
図２８は、図２５の液晶素子４００を用いたＲ、Ｇ、Ｂの偏光光源１００’ａ、１００’ｂ、１００’ｃの構造を示す。
【０２８６】
赤色偏光光源１００’ａは、赤色の光を放出する光源８Ｒが提供されて前記光源８Ｒの前方に偏光フィルムや偏光フィルターのような偏光手段８４が設置され、前記偏光手段８４の前方に液晶素子４００が設置される。
【０２８７】
緑色偏光光源１００’ｂは、緑色の光を放出する光源８Ｇが提供されて前記光源８Ｇの前方に偏光フィルムや偏光フィルターのような偏光手段８４が設置され、前記偏光手段８４の前方に液晶素子４００が設置される。
【０２８８】
また、青色偏光光源１００’ｃは、青色の光を放出する光源８ｂが提供されて前記光源８ｂの前方に偏光フィルムや偏光フィルターのような偏光手段８４が設置され、前記偏光手段８４の前方に液晶素子４００が設置される。
【０２８９】
これら偏光光源１００’ａ、１００’ｂ、１００’ｃは、それぞれ光源８Ｒ、８Ｇ、８ｂから赤色、緑色及び青色の光を放出して偏光手段８４を通過しながら偏光し、液晶素子４００にかかる電圧の強さによって偏光方向が変化する。
【０２９０】
本の四番目側面による偏光ディスプレイ装置は、特定色相の偏光した光を放出する偏光光源を提供して偏光区域で色相の変化を演出する。本発明の他の側面のように、偏光区域が単独でまたは多数個が集まって絵、ブランド、ロゴ、キャラクターなどの模様を有するようにして、それらで色相が変化したように見えるようにしてサインボード（広告看板）またはインテリアデザインとして使用することができ、広告や広報などの分野で多様に活用することができる。
【０２９１】
また、偏光区域を建物のガラス窓など外部に設置して、ガラス窓などで偏光区域によって色相の変化を演出することができ、そのような場合、一種のサインボードとしても使用することができ、建物の美観を増進させるために使用することもできる。
【０２９２】
さらには、本発明の四番目側面による場合、Ｒ、Ｇ、Ｂの単位色相の偏光光源を提供し、それらの色相を組み合わせて偏光区域で多彩な色相を表現してそれらの変化を演出することができる。一方、偏光光源から放出されるＲ、Ｇ、Ｂの色相が混合して白色光を成す場合、視野に全く妨害がなくなる。
【０２９３】
本発明は、実施例を中心に説明したがこれに限定されず、権利範囲は特許請求範囲によるものとする。
【図１】
2013539064.tif 000003
【図２】
2013539064.tif 000004
【図３】
2013539064.tif 000005
【図４】
2013539064.tif 000006
【図５】
2013539064.tif 000007
【図６】
2013539064.tif 000008
【図７】
2013539064.tif 000009
【図８】
2013539064.tif 000010
【図９】
2013539064.tif 000011
【図１０】
2013539064.tif 000012
【図１１】
2013539064.tif 000013
【図１２】
2013539064.tif 000014
【図１３】
2013539064.tif 000015
【図１４】
2013539064.tif 000016
【図１５】
2013539064.tif 000017
【図１６】
2013539064.tif 000018
【図１７】
2013539064.tif 000019
【図１８】
2013539064.tif 000020
【図１９】
2013539064.tif 000021
【図２０】
2013539064.tif 000022
【図２１】
2013539064.tif 000023
【図２２】
2013539064.tif 000024
【図２３】
2013539064.tif 000025
【図２４】
2013539064.tif 000026
【図２５】
2013539064.tif 000027
【図２６】
2013539064.tif 000028
【図２７】
2013539064.tif 000029
【図２８】
2013539064.tif 000030
【国際調査報告】
2013539064.tif 000031
2013539064.tif 000032
2013539064.tif 000033
2013539064.tif 000034